(57)【要約】【課題】ファインダビューとライブビューとの自動切り替えが可能な撮像装置を提供する。【解決手段】撮像装置である一眼レフカメラ１の被写体像観察部５は、撮像用ＣＣＤ４と、第二反射ミラー７，第三反射ミラー８，接眼レンズ１０からなる観察光学系と、アイピースシャッタであるシャッタ羽根４５，４６，４７と、観察用被写体像を撮像するＣＣＤ２２と、上記被写体像を上記観察光学系およびＣＣＤ２２に導く半透過の第四反射ミラーと、ＣＣＤ２２により撮像した被写体像を表示するＬＣＤ３８と、上記カメラ操作者が上記観察光学系を観察しているかいないかを検出する投、受光センサ１３，１４とを有しており、受光センサ１４により上記操作者が上記観察光学系を観察していないことが検出された場合、上記アイピースシャッタを閉じ、上記ＬＣＤ３８にＣＣＤ２２により撮像された上記被写体像を表示させる。【選択図】図１
2007041150.tif 000002
【特許請求の範囲】
【請求項１】
ファインダビューとライブビューとを切り替え可能な撮像装置において、
第一の撮像素子と、
撮影レンズからの被写体光が結像した被写体像を観察する観察光学系と、
開閉可能であり、開いている状態では上記観察光学系から上記被写体像を観察可能にし、閉じている状態では外部光が上記撮像装置内部に侵入することを防止するアイピースシャッタと、
被写体光束を反射し、上記観察光学系へと導く観察位置と、該観察位置から退避し、被写体光束を上記第一の撮像素子に導く退避位置とに移動可能な可動ミラーと、
上記可動ミラーの上記反射光束が結像し、上記被写体像を形成する焦点板と、
上記焦点板の上記被写体像を撮像する第二の撮像素子と、
上記焦点板と上記観察光学系との光学光路上の間に配置され、上記焦点板上の上記被写体像を上記観察光学系に導き、上記焦点板上の上記被写体像を上記第二の撮像素子にも導く半透過反射部材と、
上記アイピースシャッタを駆動する駆動源と、
上記第二の撮像素子により撮像した被写体像を外部に表示する外部表示手段と、
上記撮像装置を操作する操作者が上記観察光学系を観察しているかいないかを検出する検出手段と、
上記検出手段が、上記操作者が上記観察光学系を観察していないことを検出すると上記駆動源を駆動して上記アイピースシャッタを閉じ、上記外部表示手段に上記被写体像を表示する制御を行う制御手段と、
を有することを特徴とした撮像装置。
【請求項２】
上記アイピースシャッタは、液晶表示装置であることを特徴とする請求項１に記載の撮像装置。
【発明の詳細な説明】
【技術分野】
【０００１】
本発明は、ファインダビューとライブビューとを切り替え可能な撮像装置に関する。
【背景技術】
【０００２】
従来のファインダ光学系を介して被写体像を観察するファインダビューと撮像素子で撮像した被写体像をＬＣＤ上で観察するライブビュー（すなわち、電子ビューファインダＥＶＦによる場合）とを切り替え可能な撮像装置として、特許文献１に開示されたものは、ファインダ開口部から撮像素子への外光の入射を遮るアイピースシャッタと、このシャッタの開閉状態を検出する検出スイッチの出力に応してＬＣＤによる画像表示を制御する制御部とを設けたものである。本装置は、上記アイピースシャッタが閉じていない湯合はＬＣＤにおけるライブビュー、すなわち、ＥＶＦ（電子ビューファインダ）表示を禁止し、アイピースシャッタが閉じられている時のみ上記ＥＶＦ表示を許容するように構成されている。本装置では、ＥＶＦ表示状態でファインダ開口部からカメラ内部に侵入する外光が上記アイピースシャッタにより遮られ、撮像素子へ悪影響をなくすことができる。
【特許文献１】特許文献１は、特開２００２−２８１３５７号公報である。
【発明の開示】
【発明が解決しようとする課題】
【０００３】
しかし、上述の特許文献１に開示された撮像装置においては、ファインダビューとライブビューとの切り替えを手動操作で行う必要があり、その切り替えが煩わしく、緊急に撮影を開始する必要がある場合、シャッタチャンスを逃がしてしまうことがあるなどの問題があった。
【０００４】
本発明は、上述の問題を解決するためになされたものであり、ファインダビューとライブビューとの自動切り替えが可能であり、かつ、ライブビュー時にはファインダ開口部からの外部光の内部への侵入が防止される撮像装置を提供することを目的とする。
【課題を解決するための手段】
【０００５】
本発明の請求項１記載の撮像装置は、ファインダビューとライブビューとを切り替え可能な撮像装置において、第一の撮像素子と、撮影レンズからの被写体光が結像した被写体像を観察する観察光学系と、開閉可能であり、開いている状態では上記観察光学系から上記被写体像を観察可能にし、閉じている状態では外部光が上記撮像装置内部に侵入することを防止するアイピースシャッタと、被写体光束を反射し上記観察光学系へと導く観察位置と、該観察位置から退避し、被写体光束を上記第一の撮像素子に導く退避位置とに移動可能な可動ミラーと、上記可動ミラーの上記反射光束が結像し、上記被写体像を形成する焦点板と、上記焦点板の上記被写体像を撮像する第二の撮像素子と、上記焦点板と上記観察光学系との光学光路上の間に配置され、上記焦点板上の上記被写体像を上記観察光学系に導き、上記焦点板上の上記被写体像を上記第二の撮像素子にも導く半透過反射部材と、上記アイピースシャッタを駆動する駆動源と、上記第二の撮像素子により撮像した被写体像を外部に表示する外部表示手段と、上記撮像装置を操作する操作者が上記観察光学系を観察しているかいないかを検出する検出手段と、上記検出手段が、上記操作者が上記観察光学系を観察していないことを検出すると上記駆動源を駆動して上記アイピースシャッタを閉じ、上記外部表示手段に上記被写体像を表示する制御を行う制御手段とを有する。
【０００６】
本発明の請求項２記載の撮像装置は、請求項１に記載の撮像装置において、上記アイピースシャッタは、液晶表示装置である。
【発明の効果】
【０００７】
本発明によれば、ファインダビューとライブビューとの自動切り替えが可能であり、かつ、ライブビュー時にはファインダ開口部からの外部光の内部への侵入が防止される撮像装置を提供する。
【発明を実施するための最良の形態】
【０００８】
以下、図を用いて本発明の実施形態について説明する。  
図１は、本発明の第一の実施形態の撮像装置である一眼レフカメラ（デジタルカメラ）の要部の構成を示す斜視図である。図２は、上記一眼レフカメラにおける被写体像観察部の制御部のブロック構成図である。
【０００９】
本実施形態の一眼レフカメラ（以下、カメラと記載する）１は、被写体像を光学ファインダを介して観察するファインダビューモードと、ＬＣＤ表示部により観察するライブビューモードとを撮影者（操作者）の観察状態を検出することによって自動的に切り替えることが可能なカメラである。このカメラ１は、図１，２に示すようにカメラボディに着脱可能な撮影レンズ２と、上記カメラボディ側の主な要素として後述する第一反射ミラー（可動ミラー）３の後方であって、撮影レンズ２の光軸Ｏ1 上に配される第一の撮像素子である撮影用ＣＣＤ４と、制御手段であるカメラボディ制御用ＣＰＵ３０（図２）およびＣＰＵ３０によって制御される撮像のための各制御要素（図示せず）と、被写体像観察部５とを有している。
【００１０】
被写体像観察部５は、図１に示すように観察光軸として光軸Ｏ1 から右方向に直交する光軸Ｏ2 と、光軸Ｏ2 から上方に直交する光軸Ｏ3 と、光軸Ｏ3 から左方向に直交する光軸Ｏ4 と、光軸Ｏ4 から後方に直交する光軸Ｏ5 とを有している。
【００１１】
この被写体像観察部５は、被写体光束の進む順に光軸Ｏ1 ，Ｏ2 上に斜設する観察位置から光軸Ｏ1 の光路から退避した退避位置（撮影時）に移動可能な反射面を有する可動ミラーの第一反射ミラー３と、光軸Ｏ2 上に配される部材であって、焦点板６および半透過反射部材の第二反射ミラー７と、光軸Ｏ4 上に配される部材であって、反射面を有する第三反射ミラー８、半透過反射部材（ハ−フミラ−）である第四反射ミラー９、結像レンズ２１、第二の撮像素子であるライブビュー用ＣＣＤ２２と、光軸Ｏ5 上に配される部材であって、接眼レンズ１０およびファインダ本体に設けられるファインダ開口部１２と、ファインダ開口部１２の内側に配されるアイピースシャッタユニット１１と、ファインダ開口部１２の周辺に配される検出手段である投光用ＬＥＤ１３および受光センサ１４とを有し、さらに、第二反射ミラー７の背面側であって、被写体光束光路外の光軸Ｏ2 上に配される測光センサ２３および被写体光束光路外の光軸Ｏ3 上に配される合焦エリア表示用ＬＥＤ２４と、図２に示す被写体像観察部５の各制御要素を含む制御部とを有している。なお、第二，三，四反射ミラー７，８，９および接眼レンズ１０により観察光学系が構成される。
【００１２】
なお、カメラ１が被写体観察状態であるファインダビューモードにおいては、撮影者は、ファインダ開口部１２を覗いて接眼レンズ１０を介して焦点板６上の被写体像を観察する。ライブビューモードにおいては、撮影者は、ファインダ開口部１２から自分の眼部１５を離し、ＣＣＤ２２により取り込まれた焦点板６上の被写体像を被写体像表示用ＬＣＤ３８（図２）にて観察する。
【００１３】
被写体像観察時に第二反射ミラー７に到達した上記被写体像の光束の一部は、第二反射ミラー７を透過し、その背面側に配される測光センサ２３に入射し、被写体の輝度が検出される。第二反射ミラー７の背面に配されている合焦エリア表示用ＬＥＤ２４からの光は、第二反射ミラー７を透過した後、第三反射ミラーで反射され、さらに、第四反射ミラー９で反射され、接眼レンズ１０に入射し、また、一部の光は、第四反射ミラー９を透過して結像レンズ２１に入射し、合焦エリアの表示がなされる。
【００１４】
アイピースシャッタユニット１１の詳細について、図３〜５を用いて説明する。  
図３は、上記アイピースシャッタユニットの分解斜視図である。図４は、シャッタ開放状態にあるときの上記アイピースシャッタユニットをカメラ内部側から見た図である。図５は、シャッタ閉状態にあるときの上記アイピースシャッタユニットをカメラ内部側から見た図である。
【００１５】
アイピースシャッタユニット１１は、接眼レンズ１０の後方側であって、ファインダ開口部１２よりも内側に配されており、該開口部に密接するシャッタ羽根によりファインダ開口部１２を遮蔽、または、開放するユニットである。このアイピースシャッタユニット１１は、ファインダ本体の支軸４１により回転可能に支持される羽根駆動板４２と、同じく支軸４１により回転可能に支持され、かつ、積層状態で羽根駆動板４２により支持され、該駆動板４２と一体的に回動駆動可能な１枚と同支持軸４１により回動可能に支持され、この軸４１まわりに羽根駆動板４２により駆動される２枚とからなり、アイピースシャッタを構成する第一，二，三シャッタ羽根４５，４６，４７と、ピニオン６２を有する駆動源であるアイピースシャッタモータ６１と、ピニオン６２により駆動されるギヤ列６３と、支持軸６５によって支持され、ギヤ列６３により駆動されるギヤ６４が固着されたカム板６６と、羽根駆動板４２に支持されるカムフォロア４３と、羽根駆動板４２をシャッタ開放方向に付勢する付勢バネ４４と、羽根回動位置検出用のフォトインタラプタ（以下，ＰＩと記載する）４８と有している。
【００１６】
羽根駆動板４２には支軸４１が嵌入する軸孔４２ａと、カムフォロア４３を支持する支持ピン４２ｂと、羽根駆動ピン４２ｃと、付勢バネ４４が懸架されるバネ掛け４２ｄとが設けられる。
【００１７】
第一，二，三シャッタ羽根４５，４６，４７は、それぞれ形状が異なり、支軸４１と相対回転可能に嵌入する軸孔４５ａ，４６ａ，４７ａを有しており、第一シャッタ羽根４５は、羽根駆動ピン４２ｃが嵌入される遊びのない丸孔４５ｂを有し、第二，三シャッタ羽根４６，４７は、それぞれ羽根駆動ピン４２ｃが該ピン４２ｃと相対移動可能な状態で挿入される長さの異なる円弧状長孔４６ｂ，４７ｂを有している。
【００１８】
カム板６６は、羽根駆動板４２のカムフォロア４３と当接しており、回転駆動された場合、カムフォロア４３を介して羽根駆動板４２を回動駆動する。
【００１９】
上述の構成を有するアイピースシャッタユニット１１において、アイピースシャッタモータ６１によりカム板６６は、一方向の反時計回りにのみ回転駆動されるものとする。いま、図４のシャッタ開放状態にあるとき、カム板６６が回動し、カムフォロア４３を介して羽根駆動板４２が時計回りに回動駆動されると、羽根駆動ピン４２ｃを介してシャッタ羽根４５，４６，４７が時計回りに回動され、ファインダ開口部１２を遮蔽する閉位置に移動する（図５）。シャッタ羽根４５，４６，４７が閉位置へ到達すると、シャッタ羽根４５の一部がファインダ開口部１２の外に配されるＰＩ４８の受光素子と発光素子との間に進入し、シャッタ閉じ状態を検知し、アイピースシャッタモータ６１は停止される。シャッタ羽根４５，４６，４７が上記閉位置にある状態では、接眼レンズ１０を介した被写体像の観察が不可であると同時に外光がファインダ開口部１２からカメラ内、また、観察光学系内へ侵入することも防止される。
【００２０】
シャッタ羽根４５，４６，４７を上記閉位置から開放位置に回動駆動する場合は、アイピースシャッタモータ６１を同一方向に駆動し、カム板６６を同様に反時計回りに回転駆動して、羽根駆動板４２を反時計回りに回動させる。その回動により付勢バネ４４の付勢力により羽根駆動ピン４２ｃを介してシャッタ羽根４５，４６，４７は、それぞれ反時計回りに回動し、ファインダ開口部１２を開放する開放位置に到達し（図４）、アイピースシャッタモータ６１の駆動が停止される。
【００２１】
シャッタ羽根４５，４６，４７には、上述したようにそれぞれに羽根駆動ピン４２ｃが挿入する遊びのない丸孔４５ｂ，回動方向に互いに長さの異なる円弧状長孔４６ｂ，４７ｂが設けられているので、上述の開放位置から閉位置までの回動角度がそれぞれ異なる。シャッタ羽根４５，４６，４７が閉位置にあるときには、図５に示すようにそれぞれがずれた状態で縁部のみが重なって、開口部を遮蔽し、かつ、開放位置にあるときには、図４に示すようにずれのない状態で積み重なった状態で退避している。また、ファインダ開口部１２の下方および上方位置にシャッタ羽根が当接可能なストッパ４９ａ，４９ｂが配されており、特に円弧状長孔をもつシャッタ羽根４６，４７が開放位置、または、閉位置を超えて移動することを規制している。
【００２２】
なお、上記ＰＩ４８による閉位置検出に対する変形例として、図６のカム板の正面図に示すようにカム板６６上に切り欠き６７ａを有するＰＩ羽根６７を固着し、切り欠き６７ａをシャッタ羽根回動位置検出用ＰＩ４８Ａにより検出する構成のものも適用可能である。この場合、ＰＩ４８Ａの位置と切り欠き６７ａの位置とがカム板６６で駆動されるシャッタ羽根が閉位置に到達するしたとき一致するときように設けることになる。
【００２３】
撮影者がファインダを覗く状態を検出するためのＬＥＤ１３と受光センサ１４とは、図７の接眼枠１２Ａをカメラ背面側から見た図に示すようにファインダ開口部１２の外の上方位置に配される。図１のように被写体像観察時、撮影者がファインダ開口部１２を覗いている状態（観察光学系を観察している接眼状態）では、ＬＥＤ１３からの光は、撮影者の眼部１５またはその周囲部分で反射し、受光センサ１４に入射する。受光センサ１４よりオン信号が出力され、後述する物体検出回路３４およびＣＰＵ３０によって撮影者がファインダを覗いている状態が検出できる。一方、撮影者がファインダ開口部１２を覗いていない状態であり、外部表示装置であるＬＣＤ３８を見ている状態では、上記反射光が受光センサ１４に入射せず、オン信号が出力されないので、その状態が物体検出回路３４およびＣＰＵ３０によって検出される。なお、ＬＥＤ１３と受光センサ１４との配設位置は、図７に示す配設位置に限らず、ファインダ開口部１２の周囲の左右，下の何れの位置でもよい。
【００２４】
被写体像観察部５を制御するための制御部は、図２に示すようにカメラ全体の制御を司るカメラボディ制御用ＣＰＵ３０と、ＣＣＤ２２より出力される被写体像の撮像信号を画像処理する画像処理回路３１と、アイピースシャッタの羽根移動を検出するためのＰＩ４８を駆動し、その出力信号を検出する羽根検出回路３２と、ＬＥＤ１３を駆動するＬＥＤ駆動回路３３と、受光センサ１４の出力信号を検出する物体検出回路３４と、アイピースシャッタモータ６１を駆動するモータ駆動回路３５と、外部表示手段であって、ライブビュー時の被写体像を表示するためのＬＣＤ３８と、ＣＣＤ２２より取り込まれた被写体像の画像信号に基づいて画像処理を行ってＬＣＤ３８に被写体像を表示させるためのＬＣＤ駆動回路３７と、画像処理回路３１とＬＣＤ駆動回路３７とを結ぶバスライン３９とを有している。
【００２５】
上述した構成を有するカメラ１において、カメラ１が被写体像観察状態であるファインダビューモード、または、ライブビューモードの何れかにある時、第一反射ミラー３は、ＣＣＤ４の前方の光軸Ｏ1 に対して斜設した観察位置に移動している（図１）。一方、撮影時には、第一反射ミラー３は、光軸Ｏ1 の光路上から退避した退避位置に移動している（図１の２点鎖線で示す第一反射ミラー３′の位置）。この撮影状態では、被写体光束はＣＣＤ４の結像面上に結像し、その被写体像がＣＣＤ４にて電気的撮像信号に変換される。さらに、図示しない画像処理回路にて画像処理され、撮影画像信号として画像記録部（図示せず）にバスライン３９を介して送信される。ＣＰＵ３０は、これらの制御を司る。
【００２６】
上記被写体像観察時においては、被写体光束は、観察位置にある第一反射ミラー３にて光軸Ｏ2 に沿って反射され、焦点板６上に結像する。その被写体像の光束は、第二反射ミラー７と第三反射ミラー８で反射され、さらに、第四反射ミラー９で反射され、接眼レンズ１０側に導かれる。接眼レンズ１０を透過した上記被写体像の光束は、アイピースシャッタユニット１１、ファインダ開口部１２側に射出される。
【００２７】
また、第四反射ミラー９に到達した上記被写体像の光束の一部は、第四反射ミラー９を透過し、結像レンズ２１を透過してＣＣＤ２２の結像面上に結像する。ＣＣＤ２２にてその結像した被写体像の電気的撮像信号への変換がなされる。
【００２８】
いま、アイピースシャッタが閉状態にあるとき、撮影者が観察状態を変えて眼部１５によりファインダ開口部１２を覗いたとすると、上述したように受光センサ１４よりオン信号が出力され、その信号は、物体検出回路３４を経てＣＰＵ３０に入力され、撮影者がファインダ開口部１２を覗いたことが検知される。ＣＰＵ３０は、その検知信号に基づいてモータ駆動回路３５を介してアイピースシャッタモータ６１を駆動し、カム板６６を回動駆動させる。カム板６６の回動によりアイピースシャッタユニット１１のシャッタ羽根４５，４６，４７は、開放位置まで回動駆動され、ファインダ開口部１２は開放状態となる。この開放状態では、ファインダビューが可能となる。すなわち、撮影者は、ファインダ開口部１２より接眼レンズ１０を介して焦点板６に結像している被写体像を観察することができる。
【００２９】
また、アイピースシャッタが開状態にあるとき、撮影者がファインダ開口部１２を覗くのをやめたとすると、受光センサ１４よりオフ信号が出力され、その信号は、物体検出回路３４を経てＣＰＵ３０に入力され、撮影者がファインダ開口部１２を覗いていないことが検知される。ＣＰＵ３０は、その検知信号に基づいてモータ駆動回路３５を介してアイピースシャッタモータ６１が駆動され、カム板６６の回動によりアイピースシャッタユニット１１のシャッタ羽根４５，４６，４７は、閉位置まで回動駆動され、ファインダ開口部１２が遮蔽状態となる。この遮蔽状態では、ライブビューが可能となる。すなわち、ファインダ開口部１２から侵入する外光のない状態のもとで焦点板６に結像している被写体像の光束が結像レンズを介してＣＣＤ２２上の結像面に結像する。その被写体像から変換された電気的信号撮像信号は、画像処理回路３１で画像処理された後、被写体像信号としてバスライン３９を介してＬＣＤ駆動回路３７内に取り込まれる。上記被写体像信号は、さらに、ＬＣＤ駆動回路３７で処理され、ＬＣＤ３８に被写体像として表示される。撮影者は、ＬＣＤ３８に表示される上記被写体像を観察することができる。
【００３０】
次に、本実施形態のカメラ１の撮影シーケンスにおける被写体像観察モードの切り替え処理を含む処理について、図８，９，１０のフローチャートを用いて説明する。  
図８は、カメラ１における「メイン処理」の一部を示すフローチャートであって、特に被写体像観察モードの切り替え処理に関する部分を示す。図９は、図８の「メイン処理」のルーチンで呼び出されるサブルーチン「ライブビューモードへの切り替え処理」のフローチャートである。図１０は、図８の「メイン処理」のルーチンで呼び出されるサブルーチン「ライブビューモードの解除処理」のフローチャートである。
【００３１】
カメラ１においてパワースイッチがオンされると、ＣＰＵ３０の制御のもとで図８の「メイン処理」が立ち上げられ、制御動作が開始される。まず、ステップＳ１にて各制御部の初期化がなされ、撮影に関する各種の制御が実行される。そこで、カメラ１が被写体像観察可能状態になるとステップＳ２において、接眼状態がどうかの判別がなされる。詳しくは、受光センサ１４の出力によって撮影者がファインダ開口部１２を覗いているかどうかが受光センサ１４の出力により検出される。該開口部１２を覗いていることが検出された場合（接眼状態）は、ステップＳ３に進み、覗いていないことが検出された場合（非接眼状態）は、ステップＳ５に進む。
【００３２】
ステップＳ５では、図９に示すブルーチン「ライブビューモードへの切り替え処理」が呼び出される。そこで、ステップＳ１１にてアイピースシャッタモータ６１をオンとし、カム板６６を回転させ、シャッタ羽根４５，４６，４７をそれぞれ閉方向に回動させる。ステップＳ１２にてアイピースシャッタ閉動作が完了したかをシャッタ羽根閉位置を検出するＰＩ４８の出力によって検知する。該閉動作が完了すると、ステップＳ１３にてアイピースシャッタモータ６１をオフとして、ステップＳ１４に進む。
【００３３】
ステップＳ１４では、ライブビュー用撮像素子であるＣＣＤ２２を駆動して被写体像を電気的撮像信号に変換し、その画像信号による画像を外部画像表示装置であるＬＣＤ３８に表示させ、ライブビュー状態としてメインフローに戻る。
【００３４】
上述したメインルーチンにてステップＳ３に進んだ場合、現在の観察状態がライブビュー状態であるかをチェックし、ライブビュー状態でなければ、言い換えると、ファインダビュー状態であれば、そのまま本サブルーチンからメインルーチンに戻る。ライブビュー状態であれば、ステップＳ４に進む。
【００３５】
ステップＳ４では、図１０に示すブルーチン「ライブビューモードへの解除処理」が呼び出される。そこで、ステップＳ２１にてアイピースシャッタモータ６１を所定時間だけオンとし、カム板６６を回転させ、シャッタ羽根４５，４６，４７をそれぞれ開放方向に回動させる。ステップＳ２２にてアイピースシャッタモータ６１の所定時間の駆動完了によるアイピースシャッタ開動作が終了したことが確認されると、ステップＳ２３に進み、アイピースシャッタモータ６１をオフとする。
【００３６】
ステップＳ２４では、ライブビュー用撮像素子であるＣＣＤ２２の駆動を停止させ、外部画像表示装置であるＬＣＤ３８の被写体像の表示を停止させて、ファインダビュー状態としてメインフローに戻る。
【００３７】
以上、説明したように本実施形態のカメラ１においては、被写体像観察時にてモード切り替えスイッチ等の操作を行うことなく、ファインダビューとライブビューの切り替えが自動的に行われ、切り替えの手間を必要とぜず、即座に何れかのビューモードに対応できる。すなわち、撮影者がファインダを覗くと、その覗いた状態を受光センサ１４で検出し、自動的にアイピースシャッタを開いてファインダビューが可能な状態にセットされる。また、撮影者の眼部１５がファインダから離れると、その状態を受光センサ１４により検出し、自動的にアイピースシャッタを閉じてライブビューが可能な状態にセットされる。また、上記ライブビュー状態にセットされたとき、ファインダ開口部１２がアイピースシャッタで完全に遮光されることから、外光のファインダ開口部１２からの侵入が防止され、ＣＣＤ２２による被写体像の電気的撮像信号への変換が外光の影響を受けることなく行われ、画質の劣化が防止される。
【００３８】
次に，本発明の第二の実施形態の撮像装置である一眼レフカメラ（デジタルカメラ）について、図１１，１２を用いて説明する。  
図１１は、上記カメラの要部の構成を示す斜視図である。図１２は、上記カメラにおける被写体像観察部のブロック構成図である。
【００３９】
本実施形態のカメラ７１は、第一の実施形態のカメラ１における被写体像観察部５のアイピースシャッタユニット１１に替えて透明状態と遮光状態とを切り替え可能な液晶表示装置である液晶アイピースシャッタ７３を適用するものである。それ以外は、第一の実施形態のカメラ１と同様の構成を有しており、その同一の構成要素に対しては、同一の符号を付して、以下、異なる部分について説明する。
【００４０】
本実施形態のカメラ７１の被写体像観察部７２には、図１１に示すように接眼レンズ１０の後方であって、ファインダ開口部１２の内側に液晶アイピースシャッタ７３が配されている。この液晶アイピースシャッタ７３は、図１２に示す液晶制御回路７４により駆動され、被写体像観察モードによってオフ状態（透明状態）とオン状態（不透明状態）とに切り替えられる。
【００４１】
上記被写体像観察モードは、第一の実施形態の場合と同様にファインダビューモードとライブビューモードとがあり、撮影者がファインダ開口部１２を覗いている状態か否かを受光センサ１４により検出し、覗いていることが検出された場合には、ＣＰＵ３０の制御のもとで液晶アイピースシャッタ７３をオフとして透明状態になるように駆動し、接眼レンズ１０を介して被写体像が観察可能なファインダビューモードにセットされる。覗いていないことが検出された場合には、ＣＰＵ３０の制御のもとで液晶アイピースシャッタ７３をオンとして不透明状態（遮光状態）になるように駆動し、ファインダ開口部１２からカメラ内部への外光の侵入のない状態でＣＣＤ２２により被写体像が電気的撮像信号に変換され、画像処理される。その画像処理された被写体画像を外部画像表示部であるＬＣＤ３８に表示され、ライブビューモードにセットされる。
【００４２】
本実施形態のカメラ７１の撮影シーケンスにおける被写体像観察モードの切り替え処理を含むメイン処理は、図８に示した第一実施形態のカメラ１の場合と同様であるが、そのメイン処理ルーチンで呼び出されるサブルーチン「ライブビューモードへの切り替え処理」および「ライブビューモードの解除処理」の処理内容が異なる。以下、それらのサブルーチンについて、図１３，１４のフローチャートを用いて説明する。
【００４３】
本実施形態のカメラ７１において、ＣＰＵ３０の制御のもとで図８のメイン処理ルーチンのステップＳ５でサブルーチン「ライブビューモードへの切り替え処理」が呼び出された場合、図１３に示すようにステップＳ３１にて液晶アイピースシャッタ７３をオンとし、不透明状態（遮光状態）とする。ステップＳ３２にてライブビュー用撮像素子であるＣＣＤ２２の駆動を開始させ、外部画像表示部であるＬＣＤ３８にＣＣＤ２２で取り込まれた被写体像を表示させ、本サブルーチンのフローから抜け、メインフローに戻る。
【００４４】
また、図８のメイン処理ルーチンのステップＳ４でサブルーチン「ライブビューモードへの解除処理」が呼び出された場合、図１４に示すようにステップＳ４１にて液晶アイピースシャッタ７３をオフとし、透明状態として、接眼レンズ１０を介して被写体像を観察可能な状態とする。ステップＳ４２にてライブビュー用撮像素子であるＣＣＤ２２の駆動を停止させ、また、外部画像表示部であるＬＣＤ３８における被写体像の表示を停止させ、本サブルーチンのフローから抜け、メインフローに戻る。
【００４５】
以上、説明したように本実施形態のカメラ７１によれば、第一の実施形態のカメラの場合と同様に被写体像観察時にてモード切り替えスイッチ等の操作を行うことなく、ファインダビューとライブビューの切り替えが自動的に行われ、切り替えの手間を必要とぜず、即座に何れかのビューモードに対応できる。さらに、本実施形態では、アイピースシャッタユニットを組み込む必要がないので被写体像観察部７２の接眼レンズまわりの占有スペ−スが小さくなり、カメラの小型化が実現できる。
【００４６】
この発明は、上記各実施の形態に限ることなく、その他、実施段階ではその要旨を逸脱しない範囲で種々の変形を実施し得ることが可能である。さらに、上記各実施形態には、種々の段階の発明が含まれており、開示される複数の構成要件における適宜な組合せにより種々の発明が抽出され得る。
【産業上の利用可能性】
【００４７】
本発明の撮像装置は、ファインダビューとライブビューとの自動切り替えが可能であり、かつ、ライブビュー時にはファインダ開口部からの外部光の内部への侵入が防止される撮像装置として利用が可能である。
【図面の簡単な説明】
【００４８】
【図１】本発明の第一の実施形態の撮像装置である一眼レフカメラの要部の構成を示す斜視図である。
【図２】図１のカメラにおける被写体像観察部の制御部のブロック構成図である。
【図３】図１のカメラに適用されるアイピースシャッタユニットの分解斜視図である。
【図４】図３のアイピースシャッタユニットの開放状態をカメラ内部側から見た図である。
【図５】図３のアイピースシャッタユニットの閉状態をカメラ内部側から見た図である。
【図６】図３のアイピースシャッタユニットに適用されるＰＩの装着位置の変形例を示すカム板の正面図
【図７】図１のカメラの接眼枠をカメラ背面側から見た図である
【図８】図１のカメラにおける撮影シーケンスの「メイン処理」の一部のフローチャートであって、特に被写体像観察モードの切り替え処理に関する部分を示す。
【図９】図８の「メイン処理」のルーチンで呼び出されるサブルーチン「ライブビューモードへの切り替え処理」のフローチャートである。
【図１０】図８の「メイン処理」のルーチンで呼び出されるサブルーチン「ライブビューモードの解除処理」のフローチャートである。
【図１１】本発明の第二の実施形態の一眼レフカメラの要部の構成を示す斜視図である。
【図１２】図１１のカメラにおける被写体像観察部の制御部のブロック構成図である。
【図１３】図１１のカメラの撮影シーケンスにおける「メイン処理」のルーチンで呼び出されるサブルーチン「ライブビューモードへの切り替え処理」のフローチャートである。
【図１４】図１１のカメラの撮影シーケンスにおける「メイン処理」のルーチンで呼び出されるサブルーチン「ライブビューモードの解除処理」のフローチャートである。
【符号の説明】
【００４９】
３  …第一反射ミラー（可動ミラー）
４  …ＣＣＤ（第一の撮像素子）
６  …焦点板
７  …第二反射ミラー（観察光学系）
８  …第三反射ミラー（観察光学系）
９  …第四反射ミラー
（観察光学系，半透過反射部材）
１０  …接眼レンズ（観測光学系）
１３  …ＬＥＤ（検出手段）
１４  …受光センサ（検出手段）
２２  …ＣＣＤ（第二の撮像素子）
３０  …ＣＰＵ（制御手段）
３８  …ＬＣＤ（外部表示手段）
４５  …第一シャッタ羽根（アイピースシャッタ）
４６  …第二シャッタ羽根（アイピースシャッタ）
４７  …第三シャッタ羽根（アイピースシャッタ）
６１  …アイピースシャッタモータ（駆動源）
７３  …液晶アイピースシャッタ（液晶表示装置）
【図１】
2007041150.tif 000003
【図２】
2007041150.tif 000004
【図３】
2007041150.tif 000005
【図４】
2007041150.tif 000006
【図５】
2007041150.tif 000007
【図６】
2007041150.tif 000008
【図７】
2007041150.tif 000009
【図８】
2007041150.tif 000010
【図９】
2007041150.tif 000011
【図１０】
2007041150.tif 000012
【図１１】
2007041150.tif 000013
【図１２】
2007041150.tif 000014
【図１３】
2007041150.tif 000015
【図１４】
2007041150.tif 000016